(57)【特許請求の範囲】
【請求項１】
薬剤拡散器具１と、この薬剤拡散器具１を身体に装着する着用具２を備え、
前記薬剤拡散器具１は、器具本体３の本体８に対して回転部材４、回転部材4と薬剤５、器具本体3のカバー体９、ファン６０の少なくとも1つが回転することで薬剤５に空気が触れて薬剤を揮散し、その薬剤を空気とともに大気に拡散するものとし、
前記器具本体３に、その器具本体３の動作で往復回転する回転錘１０と、この回転錘１０の回転を出力軸３０に伝達する回転伝達機構２０を設け、
前記回転伝達機構２０は、回転錘１０の往復回転を増速して出力軸３０の往復回転として伝えるようにし、
前記出力軸３０で前記回転部材４、回転部材４と薬剤５、カバー体９、ファン６０の少なくとも1つを回転するようにしたことを特徴とする着用型薬剤拡散装置。
【請求項２】
薬剤拡散器具１と、この薬剤拡散器具１を身体に装着する着用具２を備え、
前記薬剤拡散器具１は、器具本体３の本体８に対して回転部材４、回転部材4と薬剤５、器具本体3のカバー体９、ファン６０の少なくとも1つが回転することで薬剤５に空気が触れて薬剤を揮散し、その薬剤を空気とともに大気に拡散するものとし、
前記器具本体３に、その器具本体３の動作で往復回転する回転錘１０と、この回転錘１０の回転を出力軸３０に伝達する回転伝達機構２０を設け、
前記回転伝達機構２０は、回転錘１０の往復回転を出力軸３０に一方向の回転として伝達するようにし、
前記出力軸３０で前記回転部材４、回転部材４と薬剤５、カバー体９、ファン６０の少なくとも1つを回転するようにしたことを特徴とする着用型薬剤拡散装置。
【請求項３】
回転伝達機構２０は、その出力軸３０の中心と回転錘１０の回転中心が同一となるようにし、その出力軸３０を中心としてファン６０又は回転部材４又はカバー体９が回転するようにした請求項１又は２に記載の着用型薬剤拡散装置。
【請求項４】
器具本体３に２つの回転錘１０と２つの出力軸３０をそれぞれ設け、
前記一方の回転錘１０で一方の出力軸３０を回転すると共に、その一方の出力軸３０で回転部材４又はカバー体９又はファン６０を回転し、
前記他方の回転錘１０で他方の出力軸３０を回転すると共に、その他方の出力軸３０で薬剤５を回転するようにした請求項１又は２記載の着用型薬剤拡散装置。
【発明の詳細な説明】
【技術分野】
【０００１】
本発明は、人間、家畜やペット等の動物などの身体に着用して、殺虫剤、忌避剤、芳香剤、消臭剤、除菌剤などの揮散性の薬剤を身体の周囲に拡散し、人間などの身体の周りに寄る害虫を避けたり、香りでリラックスしたりする着用型薬剤拡散装置に関する。
【背景技術】
【０００２】
特許文献１に着用型の薬剤拡散装置が開示されている。
この装置は、本体内にモータでファンを回転する送風機と薬剤保持体と電池を設けて送風機を駆動することで吸込口から放出口に空気が流通し、その空気が薬剤保持体に触れて薬剤を強制揮散し、その揮散した薬剤を、放出口から放出される空気とともに大気に拡散される装置本体と、この装置本体に取付けた着用バンドを備え、その着用バンドによって装置本体を人体、動物の体などの身体に着用できる。
【０００３】
【特許文献１】特開２００４−２４１６１号公報
【発明の開示】
【発明が解決しようとする課題】
【０００４】
前述した従来の装置は、モータでファンを回転する送風機と、そのモータ用の電源となる電池を備えているので、そのモータ、電池のために重量が重く、装置本体が大きいから、身体に着用して使用する装置としては好ましくはない。
【０００５】
また、電源として電池が使用され、電池は寿命がくると交換しなければならず、その交換作業の面倒さ、また費用もかかり経済的でない。また、寿命がきた電池はゴミとして廃棄処理問題がある。さらに電池は有害ゴミとなり環境問題を発生させる。
【０００６】
前述のことを解決するには、送風機を使用せずに薬剤保持体から薬剤を自然揮散させ、モータ、電池を必要としないようにすれば良い。
しかし、前述のように薬剤保持体から薬剤を自然揮散するだけでは、その薬剤の揮散量が少なく、実用的ではない。
【０００７】
そこで、前述の従来の装置において、モータ、電池を使用せずに、ファンを回転自在とし、身体の動きで装置本体を動作、例えば振るなどしてファンを回転させることが考えられるが、このようにしてファンを回転させるのでは、振る方向やタイミング等によって回転が弱いか、回転しないことがあり、ファンの回転の確実性に欠ける。
【０００８】
本発明の目的は、モータ、電池を使用せずに多くの薬剤を確実に揮散し、大気に拡散することができる着用型薬剤拡散装置を提供することである。
【課題を解決するための手段】
【０００９】
第１の発明は、薬剤拡散器具１と、この薬剤拡散器具１を身体に装着する着用具２を備え、
前記薬剤拡散器具１は、器具本体３の本体８に対して回転部材４、回転部材4と薬剤５、器具本体3のカバー体９、ファン６０の少なくとも1つが回転することで薬剤５に空気が触れて薬剤を揮散し、その薬剤を空気とともに大気に拡散するものとし、
前記器具本体３に、その器具本体３の動作で往復回転する回転錘１０と、この回転錘１０の回転を出力軸３０に伝達する回転伝達機構２０を設け、
前記回転伝達機構２０は、回転錘１０の往復回転を増速して出力軸３０の往復回転として伝えるようにし、
前記出力軸３０で前記回転部材４、回転部材４と薬剤５、カバー体９、ファン６０の少なくとも1つを回転するようにしたことを特徴とする着用型薬剤拡散装置である。
【００１０】
第２の発明は、薬剤拡散器具１と、この薬剤拡散器具１を身体に装着する着用具２を備え、
前記薬剤拡散器具１は、器具本体３の本体８に対して回転部材４、回転部材4と薬剤５、器具本体3のカバー体９、ファン６０の少なくとも1つが回転することで薬剤５に空気が触れて薬剤を揮散し、その薬剤を空気とともに大気に拡散するものとし、
前記器具本体３に、その器具本体３の動作で往復回転する回転錘１０と、この回転錘１０の回転を出力軸３０に伝達する回転伝達機構２０を設け、
前記回転伝達機構２０は、回転錘１０の往復回転を出力軸３０に一方向の回転として伝達するようにし、
前記出力軸３０で前記回転部材４、回転部材４と薬剤５、カバー体９、ファン６０の少なくとも1つを回転するようにしたことを特徴とする着用型薬剤拡散装置である。
【００１４】
本発明においては、回転伝達機構２０は、その出力軸３０の中心と回転錘１０の回転中心が同一となるようにし、その出力軸３０を中心としてファン６０又は回転部材４又はカバー体９が回転するようにすることが好ましい。
【００１５】
このようにすれば、回転錘１０の回転中心とファン６０、回転部材４、カバー体９の回転中心が同一であるから、その回転錘１０とファン６０、回転部材４、カバー体９が重なり合うようにでき、器具本体３を強固なものとすることができると共に、コンパクトにできる。
また、後述する回転錘１０の性状と共に、回転錘１０の径を大きくできることから回転錘１０の重心の位置が回転錘１０の回転中心から外周側へ離れた箇所となり、遠心力を得るのがより容易となる。また、長期に亘る回転錘１０や、ファン６０などの回転による回転伝達機構２０への負担が軽減される。
さらに、ファン６０などを占有する空間が形成しやすい構造にすることができる。
【００１６】
本発明においては、器具本体３に２つの回転錘１０と２つの出力軸３０をそれぞれ設け、
前記一方の回転錘１０で一方の出力軸３０を回転すると共に、その一方の出力軸３０で回転部材４又はカバー体９又はファン６０を回転し、
前記他方の回転錘１０で他方の出力軸３０を回転すると共に、その他方の出力軸３０で薬剤５を回転するようにすることが好ましい。
【００１７】
このようにすれば、薬剤５に触れる空気の量が多く、多量の薬剤を揮散できる。
【００１８】
本発明の好ましい着用型薬剤拡散装置は、次の３つである。
第１は、薬剤拡散器具１と、この薬剤拡散器具１を身体に装着する着用具２を備え、
前記薬剤拡散器具１は、空洞部３ａを有した器具本体３と、その空洞部３ａに設けた回転部材４と、薬剤５を備え、その回転部材４の回転によって前記空洞部３ａ内の空気が撹拌されて薬剤５に触れて薬剤を揮散し、その薬剤を含む空気が第1流通込口６、第２流通口７から放出されて薬剤を拡散するものとし、
前記器具本体３に、その器具本体３の動作で往復回転する回転錘１０と、この回転錘１０の回転により回転する出力軸３０を設け、
この出力軸３０で前記回転部材４を回転するようにした着用型薬剤拡散装置である。
【００１９】
第２は、薬剤拡散器具１と、この薬剤拡散器具１を身体に装着する着用具２を備え、
前記薬剤拡散器具１は、本体８にカバー体９を回転自在に設けて空洞部３ａを有した器具本体３と、その空洞部３ａに設けた薬剤５を備え、そのカバー体９の回転によって空洞部３ａ内の空気が撹拌されて薬剤５に触れて薬剤を揮散し、その薬剤を含む空気が第1流通口６、第２流通口７から放出されて薬剤を拡散するものとし、
前記器具本体３に、その器具本体３の動作で往復回転する回転錘１０と、この回転錘１０の回転により回転する出力軸３０を設け、
この出力軸３０で前記カバー体９を回転するようにした着用型薬剤拡散装置である。
【００２０】
第３は、薬剤拡散器具１と、この薬剤拡散器具１を身体に装着する着用具２を備え、
前記薬剤拡散器具１は、器具本体３とファン６０と薬剤５を備え、そのファン６０の回転によって第1流通口６からの空気が薬剤５に触れて薬剤を揮散し、その薬剤を含む空気が第２流通口７から放出されて薬剤を拡散するものとし、
前記器具本体３に、その器具本体３の動作で往復回転する回転錘１０と、この回転錘１０の往復回転を出力軸３０に一方向の回転として伝達する回転伝達機構２０を設け、
この出力軸３０で前記ファン６０を回転するようにした着用型薬剤拡散装置である。
【発明の効果】
【００２１】
本発明によれば、身体に装着して使用する際に、器具本体３の動作で回転錘１０が往復回転し、その回転錘１０の往復回転で回転部材４、回転部材４と薬剤５、カバー体９、ファン６０の少なくとも１つを回転するので、モータ、電池を使用せずに多くの薬剤を確実に揮散して大気に拡散することができる。
第１の発明によれば、回転錘１０の回転を回転伝達機構２０で出力軸３０に伝達し、その回転伝達機構２０は、回転錘１０の往復回転を増速して出力軸３０の往復回転として伝えるから、出力軸３０が回転錘１０よりも高速回転するので、回転部材４、回転部材４と薬剤５、カバー体９、ファン６０の少なくとも１つが高速で回転し、薬剤５からの薬剤揮散量が多くなる。
第２の発明によれば、回転錘１０の回転を回転伝達機構２０で出力軸３０に伝達し、その記回転伝達機構２０は、回転錘１０の往復回転を出力軸３０に一方向の回転として伝達するから回転錘１０が往復回転することで出力軸３０が一方向に回転するので、その出力軸３０でファン６０を回転するようにすれば、そのファン６０が一方向にのみ回転し、薬剤５に向かう空気の流れが常に同一となるので、薬剤５から薬剤が効率良く揮散する。
【発明を実施するための最良の形態】
【００２２】
図１に示すように、薬剤拡散器具１と、この薬剤拡散器具１を人間、動物などの身体に装着する着用具２で着用型薬剤拡散装置としてある。
前記薬剤拡散器具１は、器具本体３と、その器具本体３の空洞部３ａ内に設けた回転部材４、薬剤５等を備えている。図１において薬剤５は仮想線で図示してある。
【００２３】
そして、回転部材４が回転することで薬剤５に空気が触れて薬剤を揮散し、その揮散した薬剤を空気とともに大気に拡散する。
【００２４】
この実施の形態では、前記器具本体３は第１流通口６と第２流通口７を有し、前記回転部材４が回転することで、その空洞部３ａ内の空気が撹拌されると共、その第１流通口６、第２流通口７を通って空洞部３ａ内に空気が流れ込み、流出し、前記薬剤５に空気が触れて強制揮散し、その揮散した薬剤を第１・第２流通口６，７から流出する空気とともに大気に拡散する。
【００２５】
前記着用具２は、身体に巻きつけて使用するものとしてある。
例えば、器具本体３に一側バンド２ａと他側バンド２ｂを設け、その一側バンド２ａと他側バンド２ｂに相互に係着、離脱する雄テープ片２ｃ、雌テープ片２ｄを取付ける。
そして、一側バンド２ａと他側バンド２ｂを身体（腕など）に巻きつけて雄テープ片２ｃと雌テープ片２ｄを係着することで取付けする。
前記一側バンド２ａ、他側バンド２ｂは器具本体３にピン等を利用して回動自在に連結してあるが、器具本体３に一体的に設けても良い。
また、雄テープ片２ｃ、雌テープ片２ｄの代わりにバックルタイプとしても良い。
【００２６】
前記着用具２は、人間、動物などの身体に吊り下げて着用するものであっても良い。
例えば、器具本体３にフックを取付け、このフックを人間の腰のベルトに引っかけて吊り下げる。
【００２７】
前記器具本体３には、その器具本体３が動作することで、前記回転部材４を回転する回転装置が設けてある。
この回転装置は、図２と図３に示すように、回転錘１０、回転伝達機構２０、出力軸３０等を備えている。
前記回転錘１０は器具本体３が動作、例えば身体の動きにより揺れ動き往復回転する。
前記回転伝達機構２０は、回転錘１０の往復回転を出力軸３０に伝える。
前記出力軸３０は回転部材４に連結され、その回転部材４を回転する。
【００２８】
このようであるから、身体に装着して使用する際に、その身体の動きによって回転錘１０が往復回転し、その往復回転によって出力軸３０が往復回転する。
【００２９】
したがって、回転錘１０の往復回転によって回転部材４が往復回転し、薬剤５に空気が触れて強制揮散し、その薬剤を第１・第２流通口６，７から空気とともに大気に拡散できるので、モータ、電池を使用せずに多くの薬剤を確実に拡散することができる。
【００３０】
前記各部材の具体形状を説明する。
前記器具本体３は、本体８とカバー体９とで空洞部３ａを有している。
前記本体８は、その下面８ａに開口した凹陥部８ｂと、その凹陥部８ｂの底面８ｃに形成した開口部８ｄを有し、この開口部８ｄで凹陥部８ｂが空洞部３ａに開口連通している。
前記凹陥部８ｂの下面開口部は着脱自在な蓋８ｅで閉塞されている。
前記カバー体９は、周面板９ａと表面板９ｂを有し、その周面板９ａが本体８に嵌合して着脱自在に取付けられる。
前記表面板９ｂに第１流通口６が形成され、周面板９ａに第２流通口７が形成されている。
【００３１】
前記回転部材４は、円板４ａに複数の開口部４ｂと複数の撹拌用の羽根４ｃを設け、その円板４ａの中心に設けた支軸４ｄを前記出力軸３０に連結してある。
前記円板４ａが回転すると各羽根４ｃによって空洞部３ａ内の空気を撹拌すると共に、第１・第２流通口６，７を通して空洞部３ａ内に空気が流れ込み、流出する。
【００３２】
前記薬剤５は、リング体５ａに薬剤含浸体５ｂを設けたもので、前記円板４ａ上に取付けてある。前記円板４ａの開口部４ｂを通して薬剤含浸体５ｂ内を空気が流通する。
【００３３】
前記回転装置はケーシング４０を備えている。
このケーシング４０は、前記凹陥部８ｂ内に挿入される基板４１と、この基板４１と一体的に設けられ、かつ前記開口部８ｄから空洞部３ａ内に突出する有底の筒体４２を有したケーシング本体４３と、このケーシング本体４３の基板４１に取付けた蓋板４４を備えている。
そして、基板４１と蓋板４４を凹陥部８ｂの底面８ｃにビス４５で固着して取付けられる。
【００３４】
前記回転錘１０は図３に示すように、円弧状の外周面１１と円弧状の内周面１２と一対の端面１３，１３で囲まれた平面ほぼ扇形状で、その内周面１２寄りに取付用孔１４を有している。
この取付用孔１４が器具本体３に対して固定された回転錘用軸１５、例えば前記ケーシング４０の蓋板４４に固定した回転錘用軸１５に軸受１６で回転自在に支承され、回転錘１０はスムーズに往復回転するようにケーシング４０に取付けてある。
【００３５】
前記回転伝達機構２０は、回転錘１０とともに往復回転し、かつ回転中心が回転錘１０の回転中心と同一の第１大径歯車２１と、この第１大径歯車２１と噛合した第１小径歯車２２と、この第１小径歯車２２を取付けた軸２３に設けた第２大径歯車２４と、この第２大径歯車２４と噛合し、前記出力軸３０に設けた第２小径歯車２５を備え、前記回転錘１０の往復回転を増速して出力軸３０の往復回転に伝達する。
【００３６】
前述の出力軸３０の回転中心と回転部材４の回転中心は同一で、その回転部材４の回転中心は回転錘１０の回転中心と同一であるから、回転錘１０の上方に回転部材４が同芯状に配置され、それらの設置スペースを小さくできるので、器具本体３を強固なものとすることができると共に、コンパクトにできる。
また、後述する回転錘１０の性状と共に、回転錘１０の径を大きくできることから回転錘１０の重心の位置が回転錘１０の回転中心から外周側へ離れた箇所となり、遠心力を得るのがより容易となる。また、長期に亘る回転錘１０や、回転部材４などの回転による回転伝達機構２０への負担（磨耗、噛合わせのズレ、など）が軽減される。
さらに、回転部材４などを占有する空間が形成しやすい構造にすることができる。
【００３７】
また、ケーシング４０に回転錘１０が取付けてあると共に、そのケーシング４０内に回転伝達機構２０が設けてあるので、そのケーシング４０を本体８の凹陥部８ｂ内に挿入して取付けることによって、回転錘１０、回転伝達機構２０等を器具本体３に取付けできる。
【００３８】
また、ケーシング４０の筒体４２が本体８の開口部８ｄに嵌まり合って、その筒体４２と本体８の開口部８ｄとの間、つまりケーシング４０と本体８との間を空気が流れることがないようにしてある。
しかも、ケーシング４０内に回転伝達機構２０が設けてあり、空洞部３ａ内の空気が回転伝達機構２０に触れることがない。
したがって、空洞部３ａ内で撹拌された空気が回転伝達機構２０によって乱れることがないし、その空気に含有した薬剤が回転伝達機構２０に触れることがないので、揮散した薬剤を効率良く大気に拡散できる。
【００３９】
前述の実施の形態では回転部材４に薬剤５を設け、その回転部材４とともに薬剤５を回転したが、図４に示す第２の実施の形態のように薬剤５を回転部材４とは別に器具本体３に取付けて回転しないようにしても良い。
図４に示すように、薬剤５を本体８の上面に取付け、薬剤含浸体５ｂの上面に撹拌された空気が触れるようにする。
【００４０】
前述の各実施の形態では、回転部材４を回転したが、図５に示す第３の実施の形態のように、カバー体９を回転するようにしても良い。
図５に示すように、カバー体９に撹拌羽根９ｃを設け、そのカバー体９が回転することで空洞部３ａ内の空気が撹拌されるようにする。
薬剤５を空洞部３ａ底部（本体８の上面）に取付ける。
前記カバー体９の表面板９ｂに軸９ｄを設け、この軸９ｄを前述の出力軸３０に連結し、出力軸３０とともにカバー体９が回転するようにする。
【００４１】
前述の各実施の形態では、回転部材４、カバー体９を回転したが、図６に示す第４の実施の形態のようにファン６０を回転しても良い。また回転伝達機構２０は回転錘１０の往復回転によって出力軸３０を往復回転するようにしたが、図６に示す第４の実施の形態のように、回転錘１０の一方の回転によってのみ出力軸３０を一方向に回転し、回転錘１０の他方の回転によっては出力軸３０が回転しないようにしても良い。
図６に示すように、回転錘１０の回転中心に爪クラッチ５０を介して出力軸３０を連結し、回転錘１０が一方向に回転する時には出力軸３０が一方向に回転し、他方向に回転した時には爪クラッチ５０が滑って出力軸３０が回転しないようにする。
【００４２】
この実施の形態によれば、出力軸３０が一方向にのみ回転するので、その出力軸３０にファン６０を連結し、そのファン６０を一方向に回転することで第１流通口６から空気が空洞部３ａ内に吸い込まれ、第２流通口７から空洞部３ａ内の空気が吐出されるようにする。つまり、第１流通口６が吸込口で、第２流通口７が吐出口である。
前記第１流通口６に薬剤５を取付け、その薬剤５（薬剤含浸体５ｂ）に空気流通するようにすることが好ましい。
【００４３】
このようにすれば、ファン６０の回転によって空気が一方向に流れ、薬剤５を通過した後に大気に放出されるので、効率良く薬剤を揮散することができる。
【００４４】
前述の各実施の形態では、回転錘１０と出力軸３０を回転伝達機構２０で連結したが、回転錘１０と出力軸３０を直接連結しても良い。
【００４５】
前述の各実施の形態では、回転伝達機構２０をケーシング４０内に取付け、そのケーシング４０に回転錘１０を設け、そのケーシング４０を空洞部３ａ内に突出するようにして本体８に取付けしたが、これに限ることはなく、回転錘１０、回転伝達機構２０は種々の取付けができる。
例えば、本体８に回転錘用軸１５を回転自在に取付けて凹陥部８ｂと空洞部３ａに突出させる。
この凹陥部８ｂに突出した部分に回転錘１０を取付け、空洞部３ａに突出した部分に第１大径歯車２１を取付ける。
回転伝達機構２０の軸２３を本体８に取付け、その回転伝達機構２０を覆うカバー体を本体８の上面に取付ける。
このカバー体に出力軸３０を支承する。
【００４６】
前述の各実施の形態では、回転部材４と薬剤５、回転部材４、カバー体９、ファン６０のいずれか１つを回転するようにしたが、２つ以上をそれぞれ別々に回転するようにしても良い。
例えば、図７に示す第５の実施の形態のように、器具本体３に２つの回転錘１０をそれぞれ回転自在に設け、一方の回転錘１０で回転部材４を回転すると共に、他方の回転錘１０で薬剤５を回転する。
【００４７】
このようにすれば、回転部材４と薬剤５が別々に往復回転するので、薬剤５（薬剤含浸体５ｂ）に触れる空気の量が多く、多くの薬剤が揮散するから、多量の薬剤を大気に拡散できる。
【００４８】
具体的には、本体８とカバー体９（表面板９ｂ）とで一方の出力軸３０を回転自在に支承する。この一方の出力軸３０に一方の回転錘１０を固定し、その一方の回転錘１０とともに一方の出力軸３０が往復回転するようにする。
前記一方の出力軸３０の回りに筒形状の他方の出力軸３０を回転自在に取付け、この他方の出力軸３０に他方の回転錘１０を固定し、その他方の回転錘１０とともに他方の出力軸３０が往復回転するようにする。
前記一方の出力軸３０に回転部材４の円板４ａを連結する。
前記他方の出力軸３０に薬剤５を取付ける。例えば、薬剤５を外周リング体５ｃと内周リング体５ｄとの間に薬剤含浸体５ｂを設けたものとし、その内周リング体５ｄを他方の出力軸３０に嵌合して取り付ける。
【００４９】
前記本体８には凹部６１が形成され、この凹部６１内に一方の回転錘１０と他方の回転錘１０が収容されるようにしてある。
前記本体８の上面と他方の出力軸３０の外周面とに亘ってカバー６２が取付けられ、このカバー６２で前述の凹部６１を閉塞してある。
これによって、器具本体３の空洞部３ａ内の空気が凹部６１に入り込むことがないので、空洞部３ａ内に空気がスムーズに流れ込んだり、流出する。
【００５０】
また、図示は省略するが、回転部材４を用いずにカバー体９を回転するようにしても良い。
例えば、前述の図７においてカバー体９を本体８に回転自在に取付け、そのカバー体９に一方の出力軸３０を連結する。
【００５１】
前述の各実施の形態では、回転錘１０が下で、薬剤５が上となるようにしたが、薬剤５が下で回転錘１０が上であっても良い。
例えば、図８に示すように、カバー体９の表面板９ｂに軸支承孔３１を形成し、この軸支承孔３１に出力軸３０を軸受３２で回転自在に支承し、その出力軸３０の下端部を空洞部３ａ内に突出してファン６０を連結する。
前記出力軸３０の上端部を表面板９ｂよりも上方に突出し、回転錘１０を取付ける。
例えば、一方向クラッチ３３を介して取付け、その回転錘１０は一方向には出力軸３０とともに回転するが、他方向には出力軸３０の回りに回転して出力軸３０が回転しないようにする。
前記カバー体９に保護覆３４を取付けて回転錘１０を覆うようにしてある。
【００５２】
前記本体８は、底板８ｆとリング状の立上り８ｇで上向きの凹部８ｈを有し、その底板８ｆに第１流通口６を形成すると共に、その凹部８ｈに薬剤５を取付け、その薬剤含浸体５ｂが第１流通口６と対向するようにし、ファン６０が一方向に回転することで第１流通口６を通して吸い込まれた空気が薬剤含浸体５ｂを通過して空洞部３ａ内に流入し、第２流通口７から吐出するようにしてある。
前記本体８の底板８ｆに、一体となった一側バンド２ａと他側バンド２ｂが取付けられて着用具２としてある。
【００５３】
前述の回転錘１０について、その形状や性状は特に限定されないが、腕などを振る動作で回転運動を起し易いものが好ましい。回転モーメントが大きい、例えば回転錘の中心角がほぼ１２０度（扇形状）から１８０度（半円形状）の間からなる形状が例示できる。また遠心力が大きい、回転錘の重量をできるだけ回転中心から離して構成、例えば回転錘の外周側を肉厚に、回転中心側を肉薄に、さらには外周側を重く、回転中心側を軽くする性状が例示できる。
【図面の簡単な説明】
【００５４】
【図１】本発明の第１の実施の形態を示す全体平面図である。
【図２】図１のＡ−Ａ拡大断面図である。
【図３】図２のＢ−Ｂ断面図である。
【図４】本発明の第２の実施の形態を示す断面図である。
【図５】本発明の第３の実施の形態を示す断面図である。
【図６】本発明の第４の実施の形態を示す断面図である。
【図７】本発明の第５の実施の形態を示す断面図である。
【図８】本発明の第６の実施の形態を示す断面図である。
【符号の説明】
【００５５】
１…薬剤拡散器具、２…着用具、３…器具本体、３ａ…空洞部、４…回転部材、５…薬剤、６…第１流通口、７…第２流通口、１０…回転錘、２０…回転伝達機構、３０…出力軸、５０…爪クラッチ、６０…ファン。
【図１】
0005004350.tif 000002
【図２】
0005004350.tif 000003
【図３】
0005004350.tif 000004
【図４】
0005004350.tif 000005
【図５】
0005004350.tif 000006
【図６】
0005004350.tif 000007
【図７】
0005004350.tif 000008
【図８】
0005004350.tif 000009